(57)【要約】【課題】マスクとしての機能を果たしながら鼻や口から息を容易に吐き出すことができ、そのうえで構成を簡単にできるマスクを提供する。【解決手段】マスク本体１は、装着者３１の顔面の鼻に接する上側の鼻当縁２と、頬に接する左右の頬当縁３・５と、顎に接する下側の顎当縁６とで上下左右が縁取られた本体基布７で形成されており、本体基布７の左右の両顎縁に、耳に引っ掛けるための耳掛け９・９がそれぞれ設けられている。鼻孔に向き合う本体基布７の中央部１２には、直線形状等の線分状に切り込んだ複数の切り込み１３が入れられている。【選択図】図１
2008093285.tif 000002
【特許請求の範囲】
【請求項１】
装着者（３１）の顔面の鼻に接する上側の鼻当縁（２）と、頬に接する左右の頬当縁（３）・（５）と、顎に接する下側の顎当縁（６）とによって上下左右が縁取られた本体基布（７）の左右の頬当縁（３・５）に耳に引っ掛ける耳掛け（９・９）を設けて成るマスク本体（１）において、
本体基布（７）が不織布によって構成され、
線分状に切り込んだ複数の切り込み（１３）が本体基布（７）に入れていることを特徴とするマスク。
【請求項２】
左頬縁側と右頬縁側とに本体基布（７）を左右に二等分する中心線（Ｘ−Ｘ）に沿って裁断した本体基布（７）の裁断縁（１０）の形状が、本体基布（７）の外側に突き出る曲線形状である請求項１に記載のマスク。
【請求項３】
本体基布（７）の左側頬当縁（３）と右側頬当縁（５）との間が、左右の頬当部（１６・１７）と左右中央部の鼻当部（１９）とに区分されており、
その中央部の鼻当部（１９）に切り込み（１３）を入れている請求項１と２の何れかに記載のマスク。
【請求項４】
中央部の鼻当部（１９）における鼻当縁（２）と顎当縁（６）との中間に位置する中央部（１２）より顎当縁（６）に向かう下側部分（１５）に切り込み（１３）が入れられている請求項３に記載のマスク。
【請求項５】
本体基布（７）に入れられた切り込み（１３）が、左側頬当縁（３）と右側頬当縁（５）が向き合う方向に続く曲線形状を成しており、
その各切り込み（１３）の曲線形状の長さ寸法（Ｍ）が、切り込み（１３）の両端間の距離（Ｌ）よりも長く設定されている請求項１と２と３と４の何れかに記載のマスク。
【請求項６】
本体基布（７）が、複数枚の不織布を重ね合わせた積層構造を成しており、
その各不織布に切り込み（１３）が入れられている請求項１と２と３と４と５の何れかに記載のマスク。
【請求項７】
左側頬当縁（３）と右側頬当縁（５）が向き合う方向に向けて複数条の切り込み（１３）が断続的に配置されている請求項１と２と３と４と５と６の何れかに記載のマスク。
【請求項８】
左側頬当縁（３）と右側頬当縁（５）が向き合う方向に続く切り込み（１３）の鼻当縁（２）側の配置幅（Ｗu ）が、顎当縁（６）側の配置幅（Ｗd ）よりも少ない請求項１と２と３と４と５と６と７の何れかに記載のマスク。
【請求項９】
耳掛け（９・９）が不織布によって構成されており、
耳掛け（９・９）が、左右の頬当縁（３）・（５）に接合されており、
耳掛け（９・９）の不織布の目付けが、本体基布（７）の不織布の目付けよりも少なく、
耳掛け（９・９）の不織布の破断時の伸び率が、本体基布（７）の不織布の破断時の伸び率も大きく、
耳掛け（９・９）の不織布の５％の伸長時の伸長応力が、本体基布（７）の不織布の５％の伸長時の伸長応力よりも小さく、耳掛け（９・９）の不織布が本体基布（７）の不織布よりも伸び易い請求項１と２と３と４と５と６と７と８の何れかに記載のマスク。
【請求項１０】
耳掛け（９・９）の不織布と本体基布（７）の不織布に、芯成分が鞘成分のポリマーよりも融点が高い高融点ポリマーに成り、鞘成分が熱融着性低融点ポリマーに成る芯鞘複合合成繊維が使用されており、その熱融着性鞘成分によって、耳掛け（９・９）の不織布と本体基布（７）の不織布を構成している繊維間が接合されている請求項１と２と３と４と５と６と７と８と９の何れかに記載のマスク。
【請求項１１】
本体基布（７）を構成する不織布が、極細繊維を含んでいる請求項１と２と３と４と５と６と７と８と９と１０の何れかに記載のマスク。
【発明の詳細な説明】
【技術分野】
【０００１】
本発明は、装着者の顔面の鼻や口等を覆うマスクに関するものである。
【背景技術】
【０００２】
前記マスクは、花粉や細菌や塵埃等から鼻や口を保護したり、咳やくしゃみに伴う唾等を捕捉したりするようになっている。このマスクは、ガーゼや不織布等から成るマスク本体と、マスク本体の左右に設けた一対の耳掛けとを有している。
【０００３】
従来のマスクは、息を吐く際にマスク本体が抵抗となるために、装着者が息苦しさを感じ易いことになる。これに対して、マスク本体に排気弁や排気孔を設けて、鼻や口から息を容易に吐き出すようにしたものは公知である（例えば、特許文献１〜３参照）。
【０００４】
つまり、特許文献１には、排気弁を設けた防塵マスクが開示されている。特許文献２には、口から吐き出した息を排出する排気弁を設けたマスクが開示されている。特許文献３には、息を排出するための孔を設けたマスクが開示されている。
【０００５】
【特許文献１】特開２０００−２８８１０４号公報（図１−２）
【特許文献２】特開２００２−３４５９８５号公報（図２・５）
【特許文献３】特開２００３−２１０６００号公報（図１）
【発明の開示】
【発明が解決しようとする課題】
【０００６】
特許文献１では、排気筒に排気弁が配されており、その分だけ構造が複雑になるうえにマスクが嵩張ることになる。特許文献２でも、排気弁を配する分だけ構造が複雑になる。特許文献３では、排気孔が呼吸口に連通しており、息を吸う際にも外気が呼吸口から吸い込まれてしまい、マスクとしての機能が果たせないおそれがあるところに問題がある。
【０００７】
そこで本発明の目的は、マスクとしての機能を果たしながら鼻や口から息を容易に吐き出すことができ、そのうえで構成が簡単であって安価に製造できるマスクを提供することにある。
【課題を解決するための手段】
【０００８】
本発明に係るマスクは、装着者３１の顔面の鼻に接する上側の鼻当縁２と、頬に接する左右の頬当縁３・５と、顎に接する下側の顎当縁６とによって上下左右が縁取られた本体基布７の左右の頬当縁３・５に耳に引っ掛ける耳掛け９・９を設けて成るマスク本体１において、
本体基布７が不織布によって構成され、
線分状に切り込んだ複数の切り込み１３が本体基布７に入れていることを第１の特徴とする（図１，図２）。
【０００９】
本発明に係るマスクの第２の特徴は、前記第１の特徴に加えて、左頬縁側と右頬縁側とに本体基布７を左右に二等分する中心線Ｘ−Ｘに沿って裁断した本体基布７の裁断縁１０の形状が、本体基布７の外側に突き出る曲線形状である点にある。
【００１０】
本発明に係るマスクの第３の特徴は、前記第１、第２の何れかの特徴に加えて、本体基布７の左側頬当縁３と右側頬当縁５との間が、左右の頬当部１６・１７と左右中央部の鼻当部１９とに区分されており、
その中央部の鼻当部１９に切り込み１３を入れている点にある。
【００１１】
本発明に係るマスクの第４の特徴は、前記第３の特徴に加えて、中央部の鼻当部１９における鼻当縁２と顎当縁６との中間に位置する中央部１２より顎当縁６に向かう下側部分１５に切り込み１３が入れられている点にある（図５）。
【００１２】
本発明に係るマスクの第５の特徴は、前記第１、第２、第３、第４の何れかの特徴に加えて、本体基布７に入れられた切り込み１３が、左側頬当縁３と右側頬当縁５が向き合う方向に続く曲線形状を成しており、
その各切り込み１３の曲線形状の長さ寸法Ｍが、切り込み１３の両端間の距離Ｌよりも長く設定されている点にある。
【００１３】
本発明に係るマスクの第６の特徴は、前記第１、第２、第３、第４、第５の何れかの特徴に加えて、本体基布７が、複数枚の不織布を重ね合わせた積層構造を成しており、
その各不織布に切り込み１３が入れられている点にある（図８，図９，図１０）。
【００１４】
本発明に係るマスクの第７の特徴は、前記第１、第２、第３、第４、第５、第６の何れかの特徴に加えて、左側頬当縁３と右側頬当縁５が向き合う方向に向けて複数条の切り込み１３が断続的に配置されている点にある（図１１）。
【００１５】
本発明に係るマスクの第８の特徴は、前記第１、第２、第３、第４、第５、第６、第７の何れかの特徴に加えて、左側頬当縁３と右側頬当縁５が向き合う方向に続く切り込み１３の鼻当縁２側の配置幅Ｗu が、顎当縁６側の配置幅Ｗd よりも少ない点にある（図５）。
【００１６】
本発明に係るマスクの第９の特徴は、前記第１、第２、第３、第４、第５、第６、第７、第８の何れかの特徴に加えて、耳掛け９・９が不織布によって構成されており、
耳掛け９・９が、左右の頬当縁３・５に接合されており（図２，図６）、
耳掛け９・９の不織布の目付けが、本体基布７の不織布の目付けよりも少なく、
耳掛け９・９の不織布の破断時の伸び率が、本体基布７の不織布の破断時の伸び率も大きく、
耳掛け９・９の不織布の５％の伸長時の伸長応力が、本体基布７の不織布の５％の伸長時の伸長応力よりも小さく、耳掛け９・９の不織布が本体基布７の不織布よりも伸び易い点にある。
【００１７】
本発明に係るマスクの第１０の特徴は、前記第１、第２、第３、第４、第５、第６、第７、第８、第９の何れかの特徴に加えて、耳掛け９・９の不織布と本体基布７の不織布に、芯成分が鞘成分のポリマーよりも融点が高い高融点ポリマーに成り、鞘成分が熱融着性低融点ポリマーに成る芯鞘複合合成繊維が使用されており、その熱融着性鞘成分によって、耳掛け９・９の不織布と本体基布７の不織布を構成している繊維間が接合されている点にある。
【００１８】
本発明に係るマスクの第１１の特徴は、前記第１、第２、第３、第４、第５、第６、第７、第８、第９、第１０の何れかの特徴に加えて、本体基布７を構成する不織布が、極細繊維を含んでいる点にある。
【発明の効果】
【００１９】
本発明のマスクは、本体基布７の中央部１２に複数の切り込み１３を入れたので、マスクを装着した状態で鼻や口から息を吐き出したときには、本体基布７の中央部１２の各切り込み１３が開いて（図４の（ａ）参照）、息の一部が各切り込み１３を通ってマスク外へ排出でき、残りの息がマスク本体１を透過してマスク外へ排出できる。
つまり、咳やくしゃみに伴う唾等はマスク本体１でほぼ確実に捕捉されながら、息の一部が各切り込み１３を介してマスク外へ排出されることで、マスク本体１が息の吐き出しの際の抵抗になることが低減される。
【００２０】
これにより、装着者３１は、マスクを装着していても呼吸を楽に行うことができる。鼻や口で外気を吸い込んだときには、各切り込み１３がほぼ閉じて（図４の（ｂ）参照）、外気はマスク本体１を透過して鼻や口に吸い込まれる。
つまり、息を吸い込む際には、外気が、マスク本体１で粉塵や花粉や細菌等がほぼ濾過されたのちに、口や鼻から吸い込まれることになる。
その際、本体基布７が不織布に成るので切り込み１３からの繊維の解れ出しがなく、外気が口や鼻から吸い込まれるときは顔面に密着して切り込み１３が開くことがなく、切り込み１３から粉塵や花粉や細菌等が吸い込まれることはなく、マスクの機能が損なわれることはない。
【００２１】
本発明では、吐き出された息の一部が各切り込み１３を介して排出されるので、前記息がマスク外へ迅速に排出される。
したがって、吐き出された息に含まれる湿気がマスクに溜まることが低減されて、装着者３１に不快感を与えることが低減される。
また、吐き出された息の一部が各切り込み１３を介して排出される分だけ、息がマスク本体１の縁から吹き出てメガネを曇らすような不都合は回避される。
しかも、マスク本体１に切り込み１３を形成するだけでよいので、弁等の部材を取り付けなくても済み、その分だけマスクの構成が簡単になってコストアップを抑えることができる。
そして、本体基布７が、柔軟可撓で形状が不安定な編物や織物によってではなく、紙と同様に定形のある不織布に成るので裁断や縫製が容易であり、編物や織物に成る在来品に比して効率的にマスクを得ることができる。
【００２２】
本発明では、本体基布７を左右に二等分する中心線Ｘ−Ｘに沿って裁断した本体基布７の裁断縁１０が本体基布７の外側に突き出る彎曲した曲線形状を成すので、左側頬当縁３と右側頬当縁５の間を拡布して装着するとき、その裁断縁１０の中央部が外側に向けて隆起し、鼻や口に強く触れ合うことはなく、本体基布７と鼻や口の間に暖気が滞留し、寒気を直接吸い込まれることがなく、鼻や口に強く触れ合って不快感を与えることもなくなる。
【００２３】
本発明によると、左側頬当縁３と右側頬当縁５との間の鼻当部１９に切り込み１３を入れたので、口や鼻から吐き出した息が効率よく切り込み１３に当たってマスク外へより迅速に排出することができる。
【００２４】
本発明によると、口の当たる中央部１２の下側部分１５に息が出入りし易い切り込み１３を入れたので、粉塵や花粉や細菌等が外気と共に鼻から直接吸い込まれる虞れは更に軽減する。
【００２５】
切り込み１３を曲線形状にすると、切り込み１３の両端間が舌片状に膨出し、息を吐くときは外側に向けて突き出て切り込み１３が開き、息を吸うときは口元等に当って内側に向けて突き出ることはなく切り込み１３が閉じる。
このため、息を吐き出し易く、粉塵や花粉や細菌等が吸い込まれ難くなる。
そして、そのように息を吸うとき、切り込み１３が閉じるとしても、本体基布７が通気性のある不織布で出来ているので、息苦しさを感じさせることはない。
【００２６】
本発明のマスクは、本体基布７が複数枚の不織布を重ね合わせた積層構造を成し、各不織布に切り込み１３がそれぞれ設けられているので、積層構造の不織布毎に、繊維密度や繊維の伸び性等を異ならせて、花粉対策用等の使用目的等に応じた種々の仕様のマスクを得ることができる。
そして着用の際には、重なり合う不織布間の切り込み１３と切り込み１３の間に位置ズレが起こり、外気が位置のずれた切り込み１３と切り込み１３の間を迂回して鼻に入り、その迂回経路の数箇所の切り込み１３・１３・１３………に粉塵や花粉や細菌等が捕捉されるので、粉塵や花粉や細菌等が鼻に入り難くなる。
【００２７】
左側頬当縁３と右側頬当縁５との向き合う方向に複数条の切り込み１３を断続的に配置するときは、その切り込み１３を細かく（短く）することができ、切り込み１３からの粉塵や花粉や細菌等の入り込みを少なくすることができ、本体基布７も強度的に安定したものとなる。
【００２８】
本発明のマスクでは、切り込み１３の鼻当縁２側の配置幅Ｗu を顎当縁６側の配置幅Ｗd よりも狭くしたので、口から吐き出した息が外部に吐き出し易くなる。
【００２９】
本発明では、本体基布７と共に耳掛け９・９をも不織布によって構成し、耳掛け９・９の不織布の目付けを本体基布７の不織布の目付けよりも軽くし、耳掛け９・９の不織布の破断時の伸び率を本体基布７の不織布の破断時の伸び率も大きくし、耳掛け９・９の不織布の５％の伸長時の伸長応力を本体基布７の不織布の５％の伸長時の伸長応力よりも小さくし、耳掛け９・９の不織布を本体基布７の不織布よりも伸び易くしたので、装着時に本体基布７が形崩れを起こさず、耳掛け９・９が適度に伸びて耳を強圧することがなく、着用し易いマスクが得られる。
【００３０】
本発明では、耳掛け９・９の不織布と本体基布７の不織布に、芯成分が鞘成分のポリマーよりも融点が高い高融点ポリマーに成り、鞘成分が熱融着性低融点ポリマーに成る芯鞘複合合成繊維を使用し、その熱融着性鞘成分によって、耳掛け９・９の不織布や本体基布７の不織布を構成している繊維間を接合したので、形崩れを起こさず、耐久性のあるマスクが得られる。
【００３１】
本発明では、本体基布７を構成する不織布が極細繊維を含んでいるので、ウィルス等の微細なものであっても確りと捕捉することができる。
【発明を実施するための最良の形態】
【００３２】
（実施例１）  図１ないし図３は、本発明の係るマスクの実施例１を示している。マスク本体１は、図１および図２に示すように、装着者３１の顔面の鼻および鼻の周辺に接する上側の鼻当縁２と、頬に接する左側の頬当縁３および右側の頬当縁５と、顎に接する下側の顎当縁６とで上下左右が縁取られた本体基布７を有しており、その本体基布７の左右の頬当縁３・５に、装着者３１の耳に引っ掛ける左右一対の耳掛け９・９を設けてある。マスクは、粉塵や花粉の捕集、細菌やウィルスの捕集、および咳やくしゃみに伴う唾等の飛来防止のために使用される。
【００３３】
マスク本体１は、熱可塑性の合成樹脂繊維からなる不織布を裁断して形成されており、左頬縁側と右頬縁側とに本体基布７を二等分する中心線（Ｘ−Ｘ）に沿って裁断した裁断縁１０が、図２に示すように、本体基布７の前方外側（図２では左側）に突き出る曲線を描いている。前記不織布は、所定の通気性を有している。
【００３４】
すなわち、マスク本体１は、左右対称形をなす左半部と右半部とを構成する不織布を二枚重ねにし、前記裁断縁１０で裁断して左半部と右半部とを一体に熱溶着しており、その裁断縁１０が前方外側へ上下間にわたって突出形成されたものとなっている。これによって、装着者３１の顔面に装着した状態で、マスク本体１の前面の左右中央において前方に突曲する立体形状に造形される。マスク本体１の裁断縁１０は、シールすると同時に切断する溶断シールの手法等を用いて形成してもよい。
【００３５】
不織布には、ポリプロピレン繊維、ポリエチレン繊維、ポリウレタン繊維（スパンデックス）、ポリエチレンテレフタレート繊維、ポリトリメチレンテレフタレート繊維、ポリアミド繊維（ナイロン）、アクリル繊維、セルローズ繊維（レーヨン、コットン、ラミー、ケナフ、パルプ等）等がマスクの使用目的等に応じて選択的に、適宜混合して使用される。中でも、好ましい繊維は、ポリエチレンテレフタレート繊維とポリトリメチレンテレフタレート繊維であり、特に、ストレッチ性に優れたポリトリメチレンテレフタレート繊維を他の繊維と混用することが望ましい。
更に、不織布には、芯成分が鞘成分のポリマーよりも融点が高い高融点ポリマーに成り、鞘成分が熱融着性低融点ポリマーに成る芯鞘複合合成繊維、好ましくはポリエチレンテレフタレート系芯鞘複合合成繊維、更に好ましくは、ポリトリメチレンテレフタレートを鞘成分とするポリトリメチレンテレフタレート系芯鞘複合合成繊維を混用することが望ましい。
【００３６】
各耳掛け９は、本体基布７と一体形成してもよいが、各耳掛け９と本体基布７とを別々に裁断して、例えば、本体基布７の左右の頬当縁３・５に各耳掛け９をそれぞれ熱溶着等で接合してもよい。各耳掛け２における耳を通すための孔１１は、型で抜き加工してもよいし、切れ目を入れておき、切れ目で引き裂くことで形成するようにしてもよい。
【００３７】
本体基布７は、図１に示すように、その本体基布７の左側の頬当縁３と右側の頬当縁５との間を、左右の頬当部１６・１７と左右中央部の鼻当部１９とに区分してあり、左右中央部の鼻当部１９には、線分状に切り込んだ複数の切り込み１３を入れてある。各切り込み１３は、裁断縁１０の左右両側にそれぞれ一列づつ上下方向に並べて配してある。各切り込み１３は、左側の頬当縁３と右側の頬当縁５との向き合う左右方向に続く直線状に延びており、図３に示すように本体基布７を前後に貫通している。
【００３８】
左右の頬当部１６・１７の左右方向の長さ寸法Ｙ（図１・図２）は、それぞれ４３〜４７ｍｍ（約４５ｍｍ）の範囲内になっており、鼻当部１９の左右方向の長さ寸法Ｚ（図１）は、４３〜４７ｍｍ（約４５ｍｍ）の範囲内になっている。
各切り込み１３の左右方向の長さ寸法Ｓ（図２）は、５〜２５ｍｍの範囲内であることが好ましく、７〜２０ｍｍの範囲内であることがより好ましい。上下の切り込み１３・１３間の間隔寸法Ｐ（図２）は、３〜１２ｍｍの範囲内であることが好ましく、５〜１０ｍｍの範囲内であることがより好ましい。
【００３９】
そのように寸法を設定するのは、切り込み１３の左右方向の長さ寸法Ｓが長くなり過ぎると、呼吸に関係なく切り込み１３が開いたままになる虞れがあり、その長さ寸法Ｓが短か過ぎると、息を吐き出す際に切り込み１３が十分に開かずに呼吸が楽にならない虞れが生じるためである。
又、上下の切り込み１３・１３間の間隔寸法Ｐが長くなり過ぎると、本体基布７に形成できる切り込み１３の本数を少なくせざるを得なくなり、その間隔寸法Ｐが短か過ぎると、マスク本体１の強度が低下して立体形状を保ち難くなるからである。
【００４０】
マスク本体１の本体基布７には、抗菌機能や清涼感機能等を有する機能性液剤等を含浸させてもよく、また本体基布７は、その裏面と表面とで繊維密度や繊維の太さや伸び性等を変えてもよい。
中央部１２には、口に向き合う部分を含んでもよく、あるいは顎や頬に向き合う部分を含んでもよい。
【００４１】
実施例１のマスクの作用を説明すると、マスクを装着した状態で鼻や口から息を吐き出したときには、その息によって顔面とマスクとの間の気圧が上昇し、図４の（ａ）に示すように、各切り込み１３が大きく開いて、息の一部が各切り込み１３を通ってマスク外へ排出される。
残りの息は、マスク本体１の本体基布７を透過してマスク外へ排出される。これにより、咳やくしゃみに伴う唾等が本体基布７でほぼ捕捉される一方で、息の一部が各切り込み１３を介してマスク外へ排出される分だけ、マスク本体１が息の吐き出しの際の抵抗になることが低減される。
【００４２】
鼻や口で外気を吸い込んだときには、それに伴って顔面とマスクとの間の気圧が低下して、各切り込み１３の縁がマスクの内側へ吸い込まれ、図４の（ｂ）に示すように、各切り込み１３がほぼ閉じる。
外気は、マスク本体１の本体基布７を透過して粉塵や花粉や細菌等が濾過された後に口や鼻に吸い込まれる。
【００４３】
（実施例２）  図５は、発明に係るマスクの実施例２を示している。
実施例２では、マスク本体１の本体基布７の左右中央部の鼻当部１９における鼻当縁２と顎当縁６との中間に位置する中央部１２より顎当縁６に向かう下側部分１５に複数条の切り込み１３が入れられている。
各切り込み１３は、本体基布７の下側部分１５において、裁断縁１０の左右両側にそれぞれ一列づつ上下方向に並んでいる。
【００４４】
実施例２の各切り込み１３も、左側の頬当縁３と右側の頬当縁５との向き合う左右方向に続く直線状に延びており、マスク本体１を貫通している。
切り込み１３の配置幅Ｗは、切り込み１３の鼻当縁２側の配置幅Ｗu から顎当縁６側の配置幅Ｗd にかけて漸次広く（長く）なっている。
【００４５】
鼻当縁２の前端から下側部分１５の上端までの長さ寸法Ｈ（図６）は、８５〜９５ｍｍ（約９０ｍｍ）の範囲内であり、下側部分１５の上端から顎当縁６の前端までの長さ寸法Ｋ（図６）は、５５〜６５ｍｍ（約６０ｍｍ）の範囲内である。尚、鼻当縁２の前端から顎当縁６の前端までの長さ寸法Ｇは、１４５〜１５５ｍｍ（約１５０ｍｍ）の範囲内であり、鼻当縁２の前端から顎当縁６の前端までを繋いだ直線に対するマスク本体１の前縁の最大突出寸法Ｆ（図６）は、２０〜２４ｍｍ（約２２ｍｍ）の範囲内である。
【００４６】
切り込み１３の鼻当縁２側の配置幅Ｗu は、５〜１２ｍｍの範囲内にするとよく、好ましくは、７〜１０ｍｍの範囲内にする。
切り込み１３の顎当縁６側の配置幅Ｗd は、１５〜２５ｍｍの範囲内にするとよく、好ましくは、１５〜２０ｍｍの範囲内にする。
切り込み１３の鼻当縁２側の配置幅Ｗu と顎当縁６側の配置幅Ｗd との比（Ｗu ／Ｗd ）は、０．４〜０．６の範囲内にするとよく、好ましくは０．５にするとよい。
【００４７】
各切り込み１３の左右方向の長さ寸法Ｓや、上下の切り込み１３・１３間の間隔寸法Ｐは、実施例１と同様の範囲内に設定するとよい。
その他の点は、実施例１と同じであるので説明を省略する。
切り込み１３の配置幅Ｗは、切り込み１３の鼻当縁２側の配置幅Ｗu よりも顎当縁６側の配置幅Ｗd の方が階段状に広くなるように設定してもよい。
【００４８】
各切り込み１３は、図６に示すように、裁断縁１０でのシール部分を含むように切り込んで形成してもよい。
この場合も、切り込み１３の配置幅Ｗは、切り込み１３の鼻当縁２側の配置幅Ｗu よりも顎当縁６側の配置幅Ｗd の方が階段状に広くなるように設定してもよい。
各切り込み１３の左右方向の長さ寸法Ｓや、上下の切り込み１３・１３間の間隔寸法Ｐは、実施例１と同様に設定することが好ましい。
【００４９】
切り込み１３の形状としては、任意の形状に設定することができ、例えば図７に示すように、＋字形状（図７の（ａ））、三叉形状（図７の（ｂ））、横向きのＶ字形状（図７の（ｃ））、横向きのＵ字形状（図７の（ｄ））、横向きのＳ字形状（図７の（ｅ））、Ｗ字形状（図７の（ｆ））あるいは格子状（図７の（ｇ））等であってもよく、これらを横方向や縦方向に並べたものであってもよい。
【００５０】
マスク本体１の本体基布７は、図８の（ａ）に示すように、通気性を有する２枚の不織布２０・２１を、前後に重ね合わせた２層の積層構造であってもよく、図９の（ａ）に示すように、通気性を有する３枚の不織布２２・２３・２４を、前後に３層に重ね合わせた積層構造であってもよい。
この場合、各不織布２０〜２４には、実施例１や実施例２と同様に、複数条の切り込み１３を設ける。
この例によれば、図８の（ｂ）や図９の（ｂ）に示すように、着用の際に重なり合う不織布間の切り込み１３と切り込み１３の間に位置ズレが起こり、外気が位置のずれた切り込み１３と切り込み１３の間を迂回して鼻に入り、その迂回経路の数箇所の切り込み１３・１３・１３………に粉塵や花粉や細菌等が捕捉される。従って、粉塵や花粉や細菌等が鼻に入り難くなる。
【００５１】
また、マスク本体１の本体基布７は、図１０に示すように、通気性を有する不織布製の４枚の不織布２６・２７・２８・２９を、前後（図１０では上下方向）に４層に重ね合わせた積層構造であってもよく、５枚以上の不織布を前後に重ね合わせた積層構造であってもよい。
この場合も、実施例１や実施例２と同様に、各不織布に複数条の切り込み１３が設けられ、着用の際に重なり合う不織布間の切り込み１３と切り込み１３の間に位置ズレが起こることになる。
【００５２】
マスク本体１の本体基布７を複数枚の不織布で積層構造にする場合、各層の不織布の材質や厚さや繊維密度や繊維の伸び性等を変えることができる。
つまり、各層で伸縮率、吸水率、吸水膨張率あるいは加湿性能を変えて、使用目的等に的確に合ったマスクを形成することができる。
【００５３】
積層構造の本体基布７では、マスクを装着者３１の顔面に装着したときに本体基布７が湾曲し、その本体基布７の湾曲によって、図８の（ｂ）や図９の（ｂ）に示すように各不織布の切り込み同士１３・１３がズレ易くなり、それによって、鼻や口で外気を吸い込んだときには、各不織布の切り込み１３が隣りの不織布で塞がれて、外気が切り込み１３のみを通って鼻や口に吸い込まれることが防止される。
つまり、外気は、マスク本体１の本体本体基布７を確実に透過して濾過される。
【００５４】
（実施例３）  図１１は、発明に係るマスクの実施例３を示しており、実施例３では、各切り込み１３が、左側の頬当縁３と右側の頬当縁５との向き合う方向に続く曲線を描いており、その各切り込み１３の曲線の長さ寸法Ｍが、切り込み１３の両端間の距離Ｌよりも長くなるよう設定してある。
実施例３では、複数条の各切り込み１３が、左側頬当縁３と右側頬当縁５が向き合う方向に断続的に配置されている。
【００５５】
また、マスク本体１の本体基布７の内側には、補助フィルタ３０が配される。
補助フィルタ３０には、遠赤外線放射作用等を有する粉末等の付着による保温やマイナスイオン発生機能、銀イオンの付着による抗菌機能、活性炭や消臭剤等の付着による消臭機能、植物エキスや各種効能を有する薬剤の配合や付着による薬効機能、清涼剤の配合等による清涼感機能、ミネラル水や還元電位水や電子磁場水等による濾過作用の向上機能等の機能性を付与することができる。
その他の点は、実施例１と同じであるので説明を省略する。
【００５６】
実施例３において、各切り込み１３の曲線の長さ寸法Ｍは１０〜１５ｍｍの範囲内に設定され、直線距離Ｌは５〜１０ｍｍの範囲内に設定される。
その長さ寸法Ｍと直線距離Ｌが長過ぎると、呼吸に関係なく切り込み１３が開いたままになる虞がある。
それとは逆に、その長さ寸法Ｍと直線距離Ｌが短か過ぎると、息を吐き出す際に切り込み１３が十分に開かず、息苦しくなる虞がある。
【００５７】
実施例３の各切り込み１３は、直径１ｃｍの円で示す単位面積３．１４ｃｍ2 の中に１〜５個程度含まれるようにマスク本体１の前面の上下左右に並べられる。
実施例３においても、左側の頬当縁３と右側の頬当縁５との向き合う方向に続く切り込み１３の配置幅Ｗは、切り込み１３の鼻当縁２側の配置幅Ｗu から顎当縁６側の配置幅Ｗd にかけて漸次広くなるように設定してもよい。
【００５８】
マスク本体１の本体基布７には、抗菌機能や清涼感機能等を有する機能性液剤等を含浸させてもよく、また本体基布７は、その裏面と表面とで繊維密度や繊維の太さや伸び性等を変えてもよい。
中央部１２には、口に向き合う部分を含んでもよく、あるいは顎や頬に向き合う部分を含んでもよい。
【００５９】
マスク本体１の本体基布７は、装着者３１の顔面に装着したときには、顔面の凹凸に応じて、図１２の（ａ）から図１２の（ｂ）や（ｃ）や（ｄ）に示すように湾曲し、それに合わせて各切り込み１３が開き易くなるので、息の吐き出しの際に受ける抵抗感が確実に軽減される。
【００６０】
なお、実施例１の各切り込み１３では、マスク本体１が、図１２の（ｃ）に示すように左右方向に湾曲したときには、各切り込み１３が開き難く、図１２の（ｂ）や（ｄ）に示すように上下方向に湾曲したときには、各切り込み１３が開き易くなる。
各切り込み１３の方向や形状は、これらの点を考慮して設定される。
【００６１】
マスク本体１の本体基布７を、前記不織布の積層構造にする場合には、各層の不織布をエンボスローラ等を用いて各層どうしを部分的あるいは不織布全体を溶着させてもよい。
切り込み１３は、アールカッター（回転ロールカッター）を用いた工程等で形成してもよい。
【００６２】
補助フィルタ３０は、装着者３１の顔面にマスク本体１と共に装着した場合に、前面の左右中央において前方に円弧状に突曲する立体形状に成形してもよい。
【００６３】
本体基布７には、目付け３０〜１５０ｇ／ｃｍ2 の不織布、好ましくは目付５０〜１２０ｇ／ｃｍ2 の不織布を用いるとよい。
耳掛け９には、目付け２０〜５０ｇ／ｃｍ2 の不織布、好ましくは４０ｇ／ｃｍ2 前後（４０±５ｇ／ｃｍ2 ）の不織布、特に、長繊維に成る不織布を用いることが望ましい。
本体基布７に用いる不織布は、短繊維に成るものであってもよい。
【００６４】
切り込み１３は、例えば図１３に示すように、平面状のマスク本体１の本体基布７に設けてもよい。
平面状のマスク本体１の場合、各切り込み１３は、鼻孔に向き合う本体基布７の左右方向の中央部１２に設けることになる。
耳掛け９には、ゴム紐を使用することもできる。
補助フィルタ３０には、紙を含む種々の不織布を使用することができる。
【００６５】
本体基布７を構成する不織布には、例えば１ｄｔｅｘ以下の極細繊維を含んでいてもよい。つまり、本体基布７の全体を極細繊維の不織布あるいは極細繊維を混合した不織布で形成してもよい。本体基布７が積層構造の場合には、何れかの層のみを極細繊維の不織布あるいは極細繊維を混合した不織布で構成してもよい。この場合、中間の層を極細繊維の不織布あるいは極細繊維を混合した不織布で構成することが好ましい。
【図面の簡単な説明】
【００６６】
【図１】本発明の実施例１に係るマスクを装着した状態を示す正面図である。
【図２】実施例１のマスクの側面図である。
【図３】実施例１のマスクの要部を示す縦断面図である。
【図４】実施例１のマスクの作用を説明するための縦断面図である。
【図５】実施例２のマスクを装着した状態を示す正面図である。
【図６】マスクの他の実施例を示す側面図である。
【図７】本発明に係るマスクの切り込みの形状例を示す図である。
【図８】本発明のマスクの別の実施例を示す縦断面図である。
【図９】本発明のマスクのさらに別の実施例を示す縦断面図である。
【図１０】本発明のマスク本体の本体基布の他の実施例を示す斜視図である。
【図１１】実施例３のマスクの斜視図である。
【図１２】本発明のマスクの作用を説明するための斜視図である。
【図１３】本発明を適用できるマスクの他の実施例を示す正面図である。
【符号の説明】
【００６７】
１  マスク本体
２  鼻当縁
３・５  頬当縁
６  顎当縁
７  本体基布
９  耳掛け
１０  裁断縁
１２  本体基布の中央部
１３  切り込み
１５  下寄り部分
３１  装着者
【図１】
2008093285.tif 000003
【図２】
2008093285.tif 000004
【図３】
2008093285.tif 000005
【図４】
2008093285.tif 000006
【図５】
2008093285.tif 000007
【図６】
2008093285.tif 000008
【図７】
2008093285.tif 000009
【図８】
2008093285.tif 000010
【図９】
2008093285.tif 000011
【図１０】
2008093285.tif 000012
【図１１】
2008093285.tif 000013
【図１２】
2008093285.tif 000014
【図１３】
2008093285.tif 000015